(57)【要約】    【課題】  返却率の向上を図ることのできる貸出システムを提供する。    【解決手段】  貸出の際、貸出読取装置６によって読み取られた魚函２のＲＦＩＤチップに記録された魚函ＩＤは、管理装置２０に送信される。管理装置２０の貸出処理手段２２は、当該魚函ＩＤの魚函が、第１貸出者に貸し出し中である旨を記録部に記録する。競り落としの際、中間読取装置８によって読み取られた魚函２の魚函ＩＤは、管理装置２０に送信される。中間撮像装置１０によって、魚函２の上に置かれた名札４が撮像され、第３貸出者（仲買人）が特定される。管理装置２０は、上記受信した魚函ＩＤにて特定される魚函２の貸出先を、仲買人（第３貸出者）に変更するとともに、仲買人にデポジットを記録する。管理装置２０の返却処理手段２６は、受信した魚函ＩＤに基づいて、当該魚函が返却された旨を記録する。さらに、この返却処理の際に、仲買人のデポジットを削除する。【選択図】  図１
2017182420.tif 000002
【特許請求の範囲】
【請求項１】
管理装置および当該管理装置と通信可能な貸出読取装置、中間読取装置、返却読取装置を備えた水産収穫物収納函の貸出システムであって、
前記貸出読取装置は、無線通信によって読取可能な収納函ＩＤを記録した無線ＩＤ回路を埋め込み、または取り付けた水産収穫物収納函を、所有者から第１貸出者に貸し出す際に、当該水産収穫物収納函の前記収納函ＩＤを読み出して、管理装置に送信し、
前記中間読取装置は、第１貸出者または第１貸出者から直接・間接に貸与を受けた第２貸出者が競り市場に出した水産収穫物収納函に収納した水産収穫物を、第３貸出者が競り落とした際に、当該水産収穫物収納函の前記収納函ＩＤを読み出し、第３貸出者と対応づけて、管理装置に送信し、
前記返却読取装置は、第３貸出者または第３貸出者から直接・間接に貸与を受けた第４貸出者が、前記所有者に前記水産収穫物収納函を返却する際に、当該水産収穫物収納函の前記収納函ＩＤを読み出し、管理装置に送信し、
前記管理装置は、
前記貸出読取装置からの収納函ＩＤを受信し、当該水産収穫物収納函が第１貸出者に貸出中であることを記録部に記録する貸出処理手段と、
前記中間読取装置からの収納函ＩＤを受信し、当該水産収穫物収納函の貸出先を第１貸出者から第３貸出者に変更するよう記録部に記録するとともに、第３貸出者のデポジットを記録する貸出先変更処理手段と、
前記返却読取装置からの収納函ＩＤを受信し、当該水産収穫物収納函が返却されたことを記録部に記録するとともに、少なくとも第３貸出者のデポジットを削除する返却処理手段と、
を備えたことを特徴とする貸出システム。
【請求項２】
無線通信によって読取可能な収納函ＩＤを記録した無線ＩＤ回路を埋め込み、または取り付けた水産収穫物収納函を、所有者から第１貸出者に貸し出す際に、当該水産収穫物収納函の前記収納函ＩＤを読み出す貸出読取装置からの収納函ＩＤを受信し、当該水産収穫物収納函が第１貸出者に貸出中であることを記録部に記録する貸出処理手段と、
第１貸出者または第１貸出者から直接・間接に貸与を受けた第２貸出者が競り市場に出した水産収穫物収納函に収納した水産収穫物を、第３貸出者が競り落とした際に、当該水産収穫物収納函の前記収納函ＩＤを読み出し、第３貸出者と対応づけて送信する中間読取装置からの収納函ＩＤを受信し、当該水産収穫物収納函の貸出先を第１貸出者から第３貸出者に変更するよう記録部に記録するとともに、第３貸出者のデポジットを記録する貸出先変更処理手段と、
第３貸出者または第３貸出者から直接・間接に貸与を受けた第４貸出者が、前記所有者に前記水産収穫物収納函を返却する際に、当該水産収穫物収納函の前記収納函ＩＤを読み出す返却読取装置からの収納函ＩＤを受信し、当該水産収穫物収納函が返却されたことを記録部に記録するとともに、少なくとも第３貸出者のデポジットを削除する返却処理手段と、
を備えたことを特徴とする管理装置。
【請求項３】
管理装置および当該管理装置と通信可能な貸出読取装置、中間読取装置、第２中間読取装置を備えた水産収穫物収納函の貸出システムであって、
前記貸出読取装置は、無線通信によって読取可能な収納函ＩＤを記録した無線ＩＤ回路を埋め込み、または取り付けた水産収穫物収納函を、所有者から第１貸出者に貸し出す際に、当該水産収穫物収納函の前記収納函ＩＤを読み出して、管理装置に送信し、
前記中間読取装置は、第１貸出者または第１貸出者から直接・間接に貸与を受けた第２貸出者が競り市場に出した水産収穫物収納函に収納した水産収穫物を、第３貸出者が競り落とした際に、当該水産収穫物収納函の前記収納函ＩＤを読み出し、第３貸出者と対応づけて、管理装置に送信し、
前記第２中間読取装置は、第３貸出者または第３貸出者から直接・間接に第４貸出者が貸与を受けた際に、当該水産収穫物収納函の前記収納函ＩＤを読み出し、第４貸出者と対応付けて、管理装置に送信し、
前記管理装置は、
前記貸出読取装置からの収納函ＩＤを受信し、当該水産収穫物収納函が第１貸出者に貸出中であることを記録部に記録する貸出処理手段と、
前記中間読取装置からの収納函ＩＤを受信し、当該水産収穫物収納函の貸出先を第１貸出者から第３貸出者に変更するよう記録部に記録するとともに、第３貸出者のデポジットを記録する貸出先変更処理手段と、
前記第２中間読取装置からの収納函ＩＤを受信し、当該水産収穫物収納函の貸出先を第３貸出者から第４貸出者に変更するよう記録部に記録するとともに、第３貸出者のデポジットを削除し、第４貸出者のデポジットを記録する第２貸出先変更処理手段と、
を備えたことを特徴とする貸出システム。
【請求項４】
無線通信によって読取可能な収納函ＩＤを記録した無線ＩＤ回路を埋め込み、または取り付けた水産収穫物収納函を、所有者から第１貸出者に貸し出す際に、当該水産収穫物収納函の前記収納函ＩＤを読み出す貸出読取装置からの収納函ＩＤを受信し、当該水産収穫物収納函が第１貸出者に貸出中であることを記録部に記録する貸出処理手段と、
第１貸出者または第１貸出者から直接・間接に貸与を受けた第２貸出者が競り市場に出した水産収穫物収納函に収納した水産収穫物を、第３貸出者が競り落とした際に、当該水産収穫物収納函の前記収納函ＩＤを読み出し、第３貸出者と対応づけて送信する中間読取装置からの収納函ＩＤを受信し、当該水産収穫物収納函の貸出先を第１貸出者から第３貸出者に変更するよう記録部に記録するとともに、第３貸出者のデポジットを記録する貸出先変更処理手段と、
第３貸出者または第３貸出者から直接・間接に第４貸出者が貸与を受けた際に、当該水産収穫物収納函の前記収納函ＩＤを読み出す第２中間読取装置からの収納函ＩＤを受信し、当該水産収穫物収納函の貸出先を第３貸出者から第４貸出者に変更するよう記録部に記録するとともに、第３貸出者のデポジットを削除し、第４貸出者のデポジットを記録する第２貸出先変更処理手段と、
を備えたことを特徴とする管理装置。
【請求項５】
請求項１〜４のいずれかのシステムまたは装置において、
前記中間読取装置は、前記水産収穫物収納函の収納函ＩＤを取得する際に、当該水産収穫物収納函の水産収穫物の上に載置された転得者識別札に埋め込まれ、または取り付けられた無線ＩＤ回路から転得者ＩＤを取得し、当該転得者を第３貸出者として前記収納函ＩＤと関連づけて、管理装置に送信することを特徴とするシステムまたは装置。
【請求項６】
請求項５のシステムまたは装置において、
前記中間読取装置は、競り対象である水産収穫物収納函を裁置したパレット、競り市場の出入口、水産収穫物収納函を運ぶ車両、可搬性コンピュータの少なくともいずれかに設けられていることを特徴とするシステムまたは装置。
【請求項７】
請求項１〜４のいずれかのシステムまたは装置において、
前記中間読取装置は、撮像部を有しており、前記水産収穫物収納函の収納函ＩＤを取得する際に、当該水産収穫物収納函の水産収穫物の上に裁置された転得者識別札を撮像した画像に基づいて転得者を特定し、当該転得者を第３貸出者として前記収納函ＩＤと関連づけて、管理装置に送信することを特徴とするシステムまたは装置。
【請求項８】
管理装置および当該管理装置と通信可能な貸出読取装置、中間読取装置、返却読取装置を備えた収穫物収納函の貸出システムであって、
前記貸出読取装置は、無線通信によって読取可能な収納函ＩＤを記録した無線ＩＤ回路を埋め込み、または取り付けた収穫物収納函を、所有者から第１貸出者に貸し出す際に、当該収穫物収納函の前記収納函ＩＤを読み出して、管理装置に送信し、
前記中間読取装置は、第１貸出者または第１貸出者から直接・間接に貸与を受けた第２貸出者が競り市場に出した収穫物収納函に収納した収穫物を、第３貸出者が競り落とした際に、当該収穫物収納函の前記収納函ＩＤを読み出し、第３貸出者と対応づけて、管理装置に送信し、
前記返却読取装置は、第３貸出者または第３貸出者から直接・間接に貸与を受けた第４貸出者が、前記所有者に前記収穫物収納函を返却する際に、当該収穫物収納函の前記収納函ＩＤを読み出し、管理装置に送信し、
前記管理装置は、
前記貸出読取装置からの収納函ＩＤを受信し、当該収穫物収納函が第１貸出者に貸出中であることを記録部に記録する貸出処理手段と、
前記中間読取装置からの収納函ＩＤを受信し、当該収穫物収納函の貸出先を第１貸出者から第３貸出者に変更するよう記録部に記録するとともに、第３貸出者のデポジットを記録する貸出先変更処理手段と、
前記返却読取装置からの収納函ＩＤを受信し、当該収穫物収納函が返却されたことを記録部に記録するとともに、少なくとも第３貸出者のデポジットを削除する返却処理手段と、
を備えたことを特徴とする貸出システム。
【請求項９】
無線通信によって読取可能な収納函ＩＤを記録した無線ＩＤ回路を埋め込み、または取り付けた収穫物収納函を、所有者から第１貸出者に貸し出す際に、当該収穫物収納函の前記収納函ＩＤを読み出す貸出読取装置からの収納函ＩＤを受信し、当該収穫物収納函が第１貸出者に貸出中であることを記録部に記録する貸出処理手段と、
第１貸出者または第１貸出者から直接・間接に貸与を受けた第２貸出者が競り市場に出した収穫物収納函に収納した収穫物を、第３貸出者が競り落とした際に、当該収穫物収納函の前記収納函ＩＤを読み出し、第３貸出者と対応づけて送信する中間読取装置からの収納函ＩＤを受信し、当該収穫物収納函の貸出先を第１貸出者から第３貸出者に変更するよう記録部に記録するとともに、第３貸出者のデポジットを記録する貸出先変更処理手段と、
第３貸出者または第３貸出者から直接・間接に貸与を受けた第４貸出者が、前記所有者に前記収穫物収納函を返却する際に、当該収穫物収納函の前記収納函ＩＤを読み出す返却読取装置からの収納函ＩＤを受信し、当該収穫物収納函が返却されたことを記録部に記録するとともに、少なくとも第３貸出者のデポジットを削除する返却処理手段と、
を備えたことを特徴とする管理装置。
【請求項１０】
管理装置および当該管理装置と通信可能な貸出読取装置、中間読取装置、第２中間読取装置を備えた収穫物収納函の貸出システムであって、
前記貸出読取装置は、無線通信によって読取可能な収納函ＩＤを記録した無線ＩＤ回路を埋め込み、または取り付けた収穫物収納函を、所有者から第１貸出者に貸し出す際に、当該収穫物収納函の前記収納函ＩＤを読み出して、管理装置に送信し、
前記中間読取装置は、第１貸出者または第１貸出者から直接・間接に貸与を受けた第２貸出者が競り市場に出した収穫物収納函に収納した収穫物を、第３貸出者が競り落とした際に、当該収穫物収納函の前記収納函ＩＤを読み出し、第３貸出者と対応づけて、管理装置に送信し、
前記第２中間読取装置は、第３貸出者または第３貸出者から直接・間接に第４貸出者が貸与を受けた際に、当該収穫物収納函の前記収納函ＩＤを読み出し、第４貸出者と対応付けて、管理装置に送信し、
前記管理装置は、
前記貸出読取装置からの収納函ＩＤを受信し、当該収穫物収納函が第１貸出者に貸出中であることを記録部に記録する貸出処理手段と、
前記中間読取装置からの収納函ＩＤを受信し、当該収穫物収納函の貸出先を第１貸出者から第３貸出者に変更するよう記録部に記録するとともに、第３貸出者のデポジットを記録する貸出先変更処理手段と、
前記第２中間読取装置からの収納函ＩＤを受信し、当該収穫物収納函の貸出先を第３貸出者から第４貸出者に変更するよう記録部に記録するとともに、第３貸出者のデポジットを削除し、第４貸出者のデポジットを記録する第２貸出先変更処理手段と、
を備えたことを特徴とする貸出システム。
【請求項１１】
無線通信によって読取可能な収納函ＩＤを記録した無線ＩＤ回路を埋め込み、または取り付けた収穫物収納函を、所有者から第１貸出者に貸し出す際に、当該収穫物収納函の前記収納函ＩＤを読み出す貸出読取装置からの収納函ＩＤを受信し、当該収穫物収納函が第１貸出者に貸出中であることを記録部に記録する貸出処理手段と、
第１貸出者または第１貸出者から直接・間接に貸与を受けた第２貸出者が競り市場に出した収穫物収納函に収納した収穫物を、第３貸出者が競り落とした際に、当該収穫物収納函の前記収納函ＩＤを読み出し、第３貸出者と対応づけて送信する中間読取装置からの収納函ＩＤを受信し、当該収穫物収納函の貸出先を第１貸出者から第３貸出者に変更するよう記録部に記録するとともに、第３貸出者のデポジットを記録する貸出先変更処理手段と、
第３貸出者または第３貸出者から直接・間接に第４貸出者が貸与を受けた際に、当該収穫物収納函の前記収納函ＩＤを読み出す第２中間読取装置からの収納函ＩＤを受信し、当該収穫物収納函の貸出先を第３貸出者から第４貸出者に変更するよう記録部に記録するとともに、第３貸出者のデポジットを削除し、第４貸出者のデポジットを記録する第２貸出先変更処理手段と、
を備えたことを特徴とする管理装置。
【請求項１２】
管理装置および当該管理装置と通信可能な貸出読取装置、中間読取装置、中間撮像装置、返却読取装置を備えた水産収穫物収納函の貸出システムであって、
前記貸出読取装置は、無線通信によって読取可能な収納函ＩＤを記録した無線ＩＤ回路を埋め込み、または取り付けた水産収穫物収納函を、所有者から第１貸出者に貸し出す際に、当該水産収穫物収納函の前記収納函ＩＤを読み出して、管理装置に送信し、
前記中間読取装置は、第１貸出者または第１貸出者から直接・間接に貸与を受けた第２貸出者が競り市場に出した水産収穫物収納函に収納した水産収穫物を、第３貸出者が競り落とした際に、当該水産収穫物収納函の前記収納函ＩＤを読み出して、管理装置に送信し、
前記中間撮像装置は、前記競り落とされた前記水産収穫物収納函の水産収穫物の上に裁置された転得者識別札を撮像し、撮像画像を管理装置に送信し、
前記返却読取装置は、第３貸出者または第３貸出者から直接・間接に貸与を受けた第４貸出者が、前記所有者に前記水産収穫物収納函を返却する際に、当該水産収穫物収納函の前記収納函ＩＤを読み出し、管理装置に送信し、
前記管理装置は、
前記貸出読取装置からの収納函ＩＤを受信し、当該水産収穫物収納函が第１貸出者に貸出中であることを記録部に記録する貸出処理手段と、
前記中間読取装置からの収納函ＩＤを受信し、前記中間撮像装置から転得者識別札の撮像画像を受信し、当該画像に基づいて転得者を特定し、当該転得者を第３貸出者として前記収納函ＩＤと関連づけ、前記水産収穫物収納函の貸出先を第１貸出者から第３貸出者に変更するよう記録部に記録するとともに、第３貸出者のデポジットを記録する貸出先変更処理手段と、
前記返却読取装置からの収納函ＩＤを受信し、当該水産収穫物収納函が返却されたことを記録部に記録するとともに、少なくとも第３貸出者のデポジットを削除する返却処理手段と、
を備えたことを特徴とする貸出システム。
【請求項１３】
無線通信によって読取可能な収納函ＩＤを記録した無線ＩＤ回路を埋め込み、または取り付けた水産収穫物収納函を、所有者から第１貸出者に貸し出す際に、当該水産収穫物収納函の前記収納函ＩＤを読み出す貸出読取装置からの収納函ＩＤを受信し、当該水産収穫物収納函が第１貸出者に貸出中であることを記録部に記録する貸出処理手段と、
第１貸出者または第１貸出者から直接・間接に貸与を受けた第２貸出者が競り市場に出した水産収穫物収納函に収納した水産収穫物を、第３貸出者が競り落とした際に、当該水産収穫物収納函の前記収納函ＩＤを読み出す中間読取装置からの収納函ＩＤを受信し、前記中間撮像装置から転得者識別札の撮像画像を受信し、当該画像に基づいて転得者を特定し、当該転得者を第３貸出者として前記収納函ＩＤと関連づけ、前記水産収穫物収納函の貸出先を第１貸出者から第３貸出者に変更するよう記録部に記録するとともに、少なくとも第３貸出者のデポジットを記録する貸出先変更処理手段と、
第３貸出者または第３貸出者から直接・間接に貸与を受けた第４貸出者が、前記所有者に前記水産収穫物収納函を返却する際に、当該水産収穫物収納函の前記収納函ＩＤを読み出す返却読取装置からの収納函ＩＤを受信し、当該水産収穫物収納函が返却されたことを記録部に記録するとともに、少なくとも第３貸出者のデポジットを削除する返却処理手段と、
を備えた管理装置。
【請求項１４】
管理装置および当該管理装置と通信可能な貸出読取装置、中間読取装置、第２中間読取装置を備えた水産収穫物収納函の貸出システムであって、
前記貸出読取装置は、無線通信によって読取可能な収納函ＩＤを記録した無線ＩＤ回路を埋め込み、または取り付けた水産収穫物収納函を、所有者から第１貸出者に貸し出す際に、当該水産収穫物収納函の前記収納函ＩＤを読み出して、管理装置に送信し、
前記中間読取装置は、第１貸出者または第１貸出者から直接・間接に貸与を受けた第２貸出者が競り市場に出した水産収穫物収納函に収納した水産収穫物を、第３貸出者が競り落とした際に、当該水産収穫物収納函の前記収納函ＩＤを読み出して、管理装置に送信し、
前記中間撮像装置は、前記競り落とされた前記水産収穫物収納函の水産収穫物の上に載置された転得者識別札を撮像し、撮像画像を管理装置に送信し、
前記第２中間読取装置は、第３貸出者または第３貸出者から直接・間接に第４貸出者が貸与を受けた際に、当該水産収穫物収納函の前記収納函ＩＤを読み出し、第４貸出者と対応付けて、管理装置に送信し、
前記管理装置は、
前記貸出読取装置からの収納函ＩＤを受信し、当該水産収穫物収納函が第１貸出者に貸出中であることを記録部に記録する貸出処理手段と、
前記中間読取装置からの収納函ＩＤを受信し、前記中間撮像装置から転得者識別札の撮像画像を受信し、当該画像に基づいて転得者を特定し、当該転得者を第３貸出者として前記収納函ＩＤと関連づけ、前記水産収穫物収納函の貸出先を第１貸出者から第３貸出者に変更するよう記録部に記録するとともに、第３貸出者のデポジットを記録する貸出先変更処理手段と、
前記第２中間読取装置からの収納函ＩＤを受信し、当該水産収穫物収納函の貸出先を第３貸出者から第４貸出者に変更するよう記録部に記録するとともに、第３貸出者のデポジットを削除し、第４貸出者のデポジットを記録する第２貸出先変更処理手段と、
を備えたことを特徴とする貸出システム。
【請求項１５】
無線通信によって読取可能な収納函ＩＤを記録した無線ＩＤ回路を埋め込み、または取り付けた水産収穫物収納函を、所有者から第１貸出者に貸し出す際に、当該水産収穫物収納函の前記収納函ＩＤを読み出す貸出読取装置からの収納函ＩＤを受信し、当該水産収穫物収納函が第１貸出者に貸出中であることを記録部に記録する貸出処理手段と、
第１貸出者または第１貸出者から直接・間接に貸与を受けた第２貸出者が競り市場に出した水産収穫物収納函に収納した水産収穫物を、第３貸出者が競り落とした際に、当該水産収穫物収納函の前記収納函ＩＤを読み出す中間読取装置からの収納函ＩＤを受信し、前記中間撮像装置から転得者識別札の撮像画像を受信し、当該画像に基づいて転得者を特定し、当該転得者を第３貸出者として前記収納函ＩＤと関連づけ、前記水産収穫物収納函の貸出先を第１貸出者から第３貸出者に変更するよう記録部に記録するとともに、少なくとも第３貸出者のデポジットを記録する貸出先変更処理手段と、
第３貸出者または第３貸出者から直接・間接に第４貸出者が貸与を受けた際に、当該水産収穫物収納函の前記収納函ＩＤを読み出す第２中間読取装置からの収納函ＩＤを受信し、当該水産収穫物収納函の貸出先を第３貸出者から第４貸出者に変更するよう記録部に記録するとともに、第３貸出者のデポジットを削除し、第４貸出者のデポジットを記録する第２貸出先変更処理手段と、
を備えたことを特徴とする管理装置。
【請求項１６】
請求項１２〜１５のいずれかのシステムまたは装置において、
前記中間読取装置は、競り対象である水産収穫物収納函を裁置したパレット、競り市場の出入口、水産収穫物収納函を運ぶ車両、可搬性コンピュータの少なくともいずれかに設けられていることを特徴とするシステムまたは装置。
【請求項１７】
請求項１２〜１６のいずれかのシステムまたは装置において、
前記中間撮像装置は、競り市場の出入口、水産収穫物収納函を運ぶ車両、可搬性コンピュータの少なくともいずれかに設けられていることを特徴とするシステムまたは装置。
【請求項１８】
管理装置および当該管理装置と通信可能な貸出読取装置、中間読取装置、中間撮像装置、返却読取装置を備えた収穫物収納函の貸出システムであって、
前記貸出読取装置は、無線通信によって読取可能な収納函ＩＤを記録した無線ＩＤ回路を埋め込み、または取り付けた収穫物収納函を、所有者から第１貸出者に貸し出す際に、当該収穫物収納函の前記収納函ＩＤを読み出して、管理装置に送信し、
前記中間読取装置は、第１貸出者または第１貸出者から直接・間接に貸与を受けた第２貸出者が競り市場に出した収穫物収納函に収納した収穫物を、第３貸出者が競り落とした際に、当該収穫物収納函の前記収納函ＩＤを読み出して、管理装置に送信し、
前記中間撮像装置は、前記競り落とされた前記収穫物収納函の収穫物の上に裁置された転得者識別札を撮像し、撮像画像を管理装置に送信し、
前記返却読取装置は、第３貸出者または第３貸出者から直接・間接に貸与を受けた第４貸出者が、前記所有者に前記収穫物収納函を返却する際に、当該収穫物収納函の前記収納函ＩＤを読み出し、管理装置に送信し、
前記管理装置は、
前記貸出読取装置からの収納函ＩＤを受信し、当該収穫物収納函が第１貸出者に貸出中であることを記録部に記録する貸出処理手段と、
前記中間読取装置からの収納函ＩＤを受信し、前記中間撮像装置から転得者識別札の撮像画像を受信し、当該画像に基づいて転得者を特定し、当該転得者を第３貸出者として前記収納函ＩＤと関連づけ、前記収穫物収納函の貸出先を第１貸出者から第３貸出者に変更するよう記録部に記録するとともに、第３貸出者のデポジットを記録する貸出先変更処理手段と、
前記返却読取装置からの収納函ＩＤを受信し、当該収穫物収納函が返却されたことを記録部に記録するとともに、少なくとも第３貸出者のデポジットを削除する返却処理手段と、
を備えたことを特徴とする貸出システム。
【請求項１９】
無線通信によって読取可能な収納函ＩＤを記録した無線ＩＤ回路を埋め込み、または取り付けた収穫物収納函を、所有者から第１貸出者に貸し出す際に、当該収穫物収納函の前記収納函ＩＤを読み出す貸出読取装置からの収納函ＩＤを受信し、当該収穫物収納函が第１貸出者に貸出中であることを記録部に記録する貸出処理手段と、
第１貸出者または第１貸出者から直接・間接に貸与を受けた第２貸出者が競り市場に出した収穫物収納函に収納した収穫物を、第３貸出者が競り落とした際に、当該収穫物収納函の前記収納函ＩＤを読み出す中間読取装置からの収納函ＩＤを受信し、前記中間撮像装置から転得者識別札の撮像画像を受信し、当該画像に基づいて転得者を特定し、当該転得者を第３貸出者として前記収納函ＩＤと関連づけ、前記収穫物収納函の貸出先を第１貸出者から第３貸出者に変更するよう記録部に記録するとともに、少なくとも第３貸出者のデポジットを記録する貸出先変更処理手段と、
第３貸出者または第３貸出者から直接・間接に貸与を受けた第４貸出者が、前記所有者に前記収穫物収納函を返却する際に、当該収穫物収納函の前記収納函ＩＤを読み出す返却読取装置からの収納函ＩＤを受信し、当該収穫物収納函が返却されたことを記録部に記録するとともに、少なくとも第３貸出者のデポジットを削除する返却処理手段と、
を備えた管理装置。
【請求項２０】
管理装置および当該管理装置と通信可能な貸出読取装置、中間読取装置、第２中間読取装置を備えた収穫物収納函の貸出システムであって、
前記貸出読取装置は、無線通信によって読取可能な収納函ＩＤを記録した無線ＩＤ回路を埋め込み、または取り付けた収穫物収納函を、所有者から第１貸出者に貸し出す際に、当該収穫物収納函の前記収納函ＩＤを読み出して、管理装置に送信し、
前記中間読取装置は、第１貸出者または第１貸出者から直接・間接に貸与を受けた第２貸出者が競り市場に出した収穫物収納函に収納した収穫物を、第３貸出者が競り落とした際に、当該収穫物収納函の前記収納函ＩＤを読み出して、管理装置に送信し、
前記中間撮像装置は、前記競り落とされた前記収穫物収納函の収穫物の上に載置された転得者識別札を撮像し、撮像画像を管理装置に送信し、
前記第２中間読取装置は、第３貸出者または第３貸出者から直接・間接に第４貸出者が貸与を受けた際に、当該収穫物収納函の前記収納函ＩＤを読み出し、第４貸出者と対応付けて、管理装置に送信し、
前記管理装置は、
前記貸出読取装置からの収納函ＩＤを受信し、当該収穫物収納函が第１貸出者に貸出中であることを記録部に記録する貸出処理手段と、
前記中間読取装置からの収納函ＩＤを受信し、前記中間撮像装置から転得者識別札の撮像画像を受信し、当該画像に基づいて転得者を特定し、当該転得者を第３貸出者として前記収納函ＩＤと関連づけ、前記水産収穫物収納函の貸出先を第１貸出者から第３貸出者に変更するよう記録部に記録するとともに、第３貸出者のデポジットを記録する貸出先変更処理手段と、
前記第２中間読取装置からの収納函ＩＤを受信し、当該収穫物収納函の貸出先を第３貸出者から第４貸出者に変更するよう記録部に記録するとともに、第３貸出者のデポジットを削除し、第４貸出者のデポジットを記録する第２貸出先変更処理手段と、
を備えたことを特徴とする貸出システム。
【請求項２１】
無線通信によって読取可能な収納函ＩＤを記録した無線ＩＤ回路を埋め込み、または取り付けた収穫物収納函を、所有者から第１貸出者に貸し出す際に、当該収穫物収納函の前記収納函ＩＤを読み出す貸出読取装置からの収納函ＩＤを受信し、当該収穫物収納函が第１貸出者に貸出中であることを記録部に記録する貸出処理手段と、
第１貸出者または第１貸出者から直接・間接に貸与を受けた第２貸出者が競り市場に出した収穫物収納函に収納した収穫物を、第３貸出者が競り落とした際に、当該収穫物収納函の前記収納函ＩＤを読み出す中間読取装置からの収納函ＩＤを受信し、前記中間撮像装置から転得者識別札の撮像画像を受信し、当該画像に基づいて転得者を特定し、当該転得者を第３貸出者として前記収納函ＩＤと関連づけ、前記収穫物収納函の貸出先を第１貸出者から第３貸出者に変更するよう記録部に記録するとともに、少なくとも第３貸出者のデポジットを記録する貸出先変更処理手段と、
第３貸出者または第３貸出者から直接・間接に第４貸出者が貸与を受けた際に、当該収穫物収納函の前記収納函ＩＤを読み出す第２中間読取装置からの収納函ＩＤを受信し、当該収穫物収納函の貸出先を第３貸出者から第４貸出者に変更するよう記録部に記録するとともに、第３貸出者のデポジットを削除し、第４貸出者のデポジットを記録する第２貸出先変更処理手段と、
を備えたことを特徴とする管理装置。
【発明の詳細な説明】
【背景技術】
【０００１】
漁船にて収穫したイカなどの水産収穫物は、魚函と呼ばれる小型の収納函に入れられ、港の競り市場まで漁船で運び込まれる。競り市場では、魚函に入った状態で競りが行われ、競り落とした仲買人が加工工場などにこれを販売する。
【０００２】
従来、この魚函は木製であり、繰り返し使用することを前提としていなかったため、資源の無駄が生じていた。そこで、本件出願人は既に、この魚函をプラスチック製として貸し出すことで繰り返し使用することを提案し、北海道において実現している。
【０００３】
この際、問題となるのは、いかにして魚函の回収率を上げるかという点である。魚函が使い捨てであり返却を要しないという従前の慣習があることから、回収が困難であるという背景がある。さらに、仲買人が遠方の加工工場に販売した場合には、回収が物理的に困難となるという背景もあった。
【０００４】
本件出願人は、この問題点を解決するための提案を既になしている（特許文献１）。特許文献１では、コンピュータシステムを用いて、貸出数と返却数を管理し、現状を正確に把握することのできるシステムを提案している。このように、現状を正確に把握することで、回収率向上に向けた施策を立案することが容易となる。
【先行技術文献】
【特許文献】
【０００５】
【特許文献１】特開２００５−１０８１４８
【発明の概要】
【発明が解決しようとする課題】
【０００６】
しかしながら、上記の従来技術においては、現状を正確に把握することはできるものの、抜本的に回収率を向上させるものではなかった。このような問題は、魚函に限らず、収納函一般に該当するものであった。
【０００７】
この発明は、上記の問題点を解決して、転々とする収納函であっても、全ての経路を管理する必要なく、返却率の向上を図ることのできる貸出システムを提供することを目的とする。
【課題を解決するための手段】
【０００８】
この発明の独立して適用可能ないくつかの特徴を以下列挙する。
【０００９】
(1)(2)この発明に係る貸出システムは、管理装置および当該管理装置と通信可能な貸出読取装置、中間読取装置、返却読取装置を備えた水産収穫物収納函の貸出システムであって、
前記貸出読取装置は、無線通信によって読取可能な収納函ＩＤを記録した無線ＩＤ回路を埋め込み、または取り付けた水産収穫物収納函を、所有者から第１貸出者に貸し出す際に、当該水産収穫物収納函の前記収納函ＩＤを読み出して、管理装置に送信し、前記中間読取装置は、第１貸出者または第１貸出者から直接・間接に貸与を受けた第２貸出者が競り市場に出した水産収穫物収納函に収納した水産収穫物を、第３貸出者が競り落とした際に、当該水産収穫物収納函の前記収納函ＩＤを読み出し、第３貸出者と対応づけて、管理装置に送信し、前記返却読取装置は、第３貸出者または第３貸出者から直接・間接に貸与を受けた第４貸出者が、前記所有者に前記水産収穫物収納函を返却する際に、当該水産収穫物収納函の前記収納函ＩＤを読み出し、管理装置に送信し、
前記管理装置は、前記貸出読取装置からの収納函ＩＤを受信し、当該水産収穫物収納函が第１貸出者に貸出中であることを記録部に記録する貸出処理手段と、前記中間読取装置からの収納函ＩＤを受信し、当該水産収穫物収納函の貸出先を第１貸出者から第３貸出者に変更するよう記録部に記録するとともに、第３貸出者のデポジットを記録する貸出先変更処理手段と、前記返却読取装置からの収納函ＩＤを受信し、当該水産収穫物収納函が返却されたことを記録部に記録するとともに、少なくとも第３貸出者のデポジットを削除する返却処理手段とを備えたことを特徴としている。
【００１０】
したがって、第３貸出者が収納函の返却に協力的となって、返却率を向上させることができる。
【００１１】
(3)(4)この発明に係る貸出システムは、管理装置および当該管理装置と通信可能な貸出読取装置、中間読取装置、第２中間読取装置を備えた水産収穫物収納函の貸出システムであって、
前記貸出読取装置は、無線通信によって読取可能な収納函ＩＤを記録した無線ＩＤ回路を埋め込み、または取り付けた水産収穫物収納函を、所有者から第１貸出者に貸し出す際に、当該水産収穫物収納函の前記収納函ＩＤを読み出して、管理装置に送信し、前記中間読取装置は、第１貸出者または第１貸出者から直接・間接に貸与を受けた第２貸出者が競り市場に出した水産収穫物収納函に収納した水産収穫物を、第３貸出者が競り落とした際に、当該水産収穫物収納函の前記収納函ＩＤを読み出し、第３貸出者と対応づけて、管理装置に送信し、前記第２中間読取装置は、第３貸出者または第３貸出者から直接・間接に第４貸出者が貸与を受けた際に、当該水産収穫物収納函の前記収納函ＩＤを読み出し、第４貸出者と対応付けて、管理装置に送信し、
前記管理装置は、前記貸出読取装置からの収納函ＩＤを受信し、当該水産収穫物収納函が第１貸出者に貸出中であることを記録部に記録する貸出処理手段と、前記中間読取装置からの収納函ＩＤを受信し、当該水産収穫物収納函の貸出先を第１貸出者から第３貸出者に変更するよう記録部に記録するとともに、第３貸出者のデポジットを記録する貸出先変更処理手段と、前記第２中間読取装置からの収納函ＩＤを受信し、当該水産収穫物収納函の貸出先を第３貸出者から第４貸出者に変更するよう記録部に記録するとともに、第３貸出者のデポジットを削除し、第４貸出者のデポジットを記録する第２貸出先変更処理手段とを備えたことを特徴としている。
【００１２】
したがって、現在収納函を持つものがデポジットを行うことになるので、返却に協力的となる。
【００１３】
(5)この発明に係る貸出システムは、中間読取装置が、前記水産収穫物収納函の収納函ＩＤを取得する際に、当該水産収穫物収納函の水産収穫物の上に載置された転得者識別札に埋め込まれ、または取り付けられた無線ＩＤ回路から転得者ＩＤを取得し、当該転得者を第３貸出者として前記収納函ＩＤと関連づけて、管理装置に送信することを特徴としている。
【００１４】
したがって、対応づけが容易でない、第３貸出者と個々の魚函との対応づけを、手間をかけずに正確に行うことができる。
【００１５】
(6)この発明に係る貸出システムは、中間読取装置が、競り対象である水産収穫物収納函を裁置したパレット、競り市場の出入口、水産収穫物収納函を運ぶ車両、可搬性コンピュータの少なくともいずれかに設けられていることを特徴としている。
【００１６】
したがって、特別な処理をしなくとも、容易に魚函ＩＤ、転得者ＩＤを取得することができる。
【００１７】
(7)この発明に係る貸出システムは、中間読取装置が、撮像部を有しており、前記水産収穫物収納函の収納函ＩＤを取得する際に、当該水産収穫物収納函の水産収穫物の上に裁置された転得者識別札を撮像した画像に基づいて転得者を特定し、当該転得者を第３貸出者として前記収納函ＩＤと関連づけて、管理装置に送信することを特徴としている。
【００１８】
したがって、特別な転得者識別札を用いなくとも第３貸出者の特定を行うことができる。
【００１９】
(8)(9)この発明に係る貸出システムは、管理装置および当該管理装置と通信可能な貸出読取装置、中間読取装置、返却読取装置を備えた収穫物収納函の貸出システムであって、
前記貸出読取装置は、無線通信によって読取可能な収納函ＩＤを記録した無線ＩＤ回路を埋め込み、または取り付けた収穫物収納函を、所有者から第１貸出者に貸し出す際に、当該収穫物収納函の前記収納函ＩＤを読み出して、管理装置に送信し、前記中間読取装置は、第１貸出者または第１貸出者から直接・間接に貸与を受けた第２貸出者が競り市場に出した収穫物収納函に収納した収穫物を、第３貸出者が競り落とした際に、当該収穫物収納函の前記収納函ＩＤを読み出し、第３貸出者と対応づけて、管理装置に送信し、前記返却読取装置は、第３貸出者または第３貸出者から直接・間接に貸与を受けた第４貸出者が、前記所有者に前記収穫物収納函を返却する際に、当該収穫物収納函の前記収納函ＩＤを読み出し、管理装置に送信し、
前記管理装置は、前記貸出読取装置からの収納函ＩＤを受信し、当該収穫物収納函が第１貸出者に貸出中であることを記録部に記録する貸出処理手段と、前記中間読取装置からの収納函ＩＤを受信し、当該収穫物収納函の貸出先を第１貸出者から第３貸出者に変更するよう記録部に記録するとともに、第３貸出者のデポジットを記録する貸出先変更処理手段と、前記返却読取装置からの収納函ＩＤを受信し、当該収穫物収納函が返却されたことを記録部に記録するとともに、少なくとも第３貸出者のデポジットを削除する返却処理手段とを備えたことを特徴としている。
【００２０】
したがって、第３貸出者が収納函の返却に協力的となって、返却率を向上させることができる。
【００２１】
(10)(11)この発明に係る貸出システムは、管理装置および当該管理装置と通信可能な貸出読取装置、中間読取装置、第２中間読取装置を備えた収穫物収納函の貸出システムであって、
前記貸出読取装置は、無線通信によって読取可能な収納函ＩＤを記録した無線ＩＤ回路を埋め込み、または取り付けた収穫物収納函を、所有者から第１貸出者に貸し出す際に、当該収穫物収納函の前記収納函ＩＤを読み出して、管理装置に送信し、前記中間読取装置は、第１貸出者または第１貸出者から直接・間接に貸与を受けた第２貸出者が競り市場に出した収穫物収納函に収納した収穫物を、第３貸出者が競り落とした際に、当該収穫物収納函の前記収納函ＩＤを読み出し、第３貸出者と対応づけて、管理装置に送信し、前記第２中間読取装置は、第３貸出者または第３貸出者から直接・間接に第４貸出者が貸与を受けた際に、当該収穫物収納函の前記収納函ＩＤを読み出し、第４貸出者と対応付けて、管理装置に送信し、
前記管理装置は、前記貸出読取装置からの収納函ＩＤを受信し、当該収穫物収納函が第１貸出者に貸出中であることを記録部に記録する貸出処理手段と、
前記中間読取装置からの収納函ＩＤを受信し、当該収穫物収納函の貸出先を第１貸出者から第３貸出者に変更するよう記録部に記録するとともに、第３貸出者のデポジットを記録する貸出先変更処理手段と、前記第２中間読取装置からの収納函ＩＤを受信し、当該収穫物収納函の貸出先を第３貸出者から第４貸出者に変更するよう記録部に記録するとともに、第３貸出者のデポジットを削除し、第４貸出者のデポジットを記録する第２貸出先変更処理手段とを備えたことを特徴としている。
【００２２】
したがって、現在収納函を持つものがデポジットを行うことになるので、返却に協力的となる。
【００２３】
(12)(13)この発明に係る貸出システムは、管理装置および当該管理装置と通信可能な貸出読取装置、中間読取装置、中間撮像装置、返却読取装置を備えた水産収穫物収納函の貸出システムであって、
前記貸出読取装置は、無線通信によって読取可能な収納函ＩＤを記録した無線ＩＤ回路を埋め込み、または取り付けた水産収穫物収納函を、所有者から第１貸出者に貸し出す際に、当該水産収穫物収納函の前記収納函ＩＤを読み出して、管理装置に送信し、前記中間読取装置は、第１貸出者または第１貸出者から直接・間接に貸与を受けた第２貸出者が競り市場に出した水産収穫物収納函に収納した水産収穫物を、第３貸出者が競り落とした際に、当該水産収穫物収納函の前記収納函ＩＤを読み出して、管理装置に送信し、前記中間撮像装置は、前記競り落とされた前記水産収穫物収納函の水産収穫物の上に裁置された転得者識別札を撮像し、撮像画像を管理装置に送信し、前記返却読取装置は、第３貸出者または第３貸出者から直接・間接に貸与を受けた第４貸出者が、前記所有者に前記水産収穫物収納函を返却する際に、当該水産収穫物収納函の前記収納函ＩＤを読み出し、管理装置に送信し、
前記管理装置は、前記貸出読取装置からの収納函ＩＤを受信し、当該水産収穫物収納函が第１貸出者に貸出中であることを記録部に記録する貸出処理手段と、前記中間読取装置からの収納函ＩＤを受信し、前記中間撮像装置から転得者識別札の撮像画像を受信し、当該画像に基づいて転得者を特定し、当該転得者を第３貸出者として前記収納函ＩＤと関連づけ、前記水産収穫物収納函の貸出先を第１貸出者から第３貸出者に変更するよう記録部に記録するとともに、第３貸出者のデポジットを記録する貸出先変更処理手段と、前記返却読取装置からの収納函ＩＤを受信し、当該水産収穫物収納函が返却されたことを記録部に記録するとともに、少なくとも第３貸出者のデポジットを削除する返却処理手段とを備えたことを特徴としている。
【００２４】
したがって、第３貸出者が収納函の返却に協力的となって、返却率を向上させることができる。
【００２５】
(14)(15)この発明に係る貸出システムは、管理装置および当該管理装置と通信可能な貸出読取装置、中間読取装置、第２中間読取装置を備えた水産収穫物収納函の貸出システムであって、
前記貸出読取装置は、無線通信によって読取可能な収納函ＩＤを記録した無線ＩＤ回路を埋め込み、または取り付けた水産収穫物収納函を、所有者から第１貸出者に貸し出す際に、当該水産収穫物収納函の前記収納函ＩＤを読み出して、管理装置に送信し、前記中間読取装置は、第１貸出者または第１貸出者から直接・間接に貸与を受けた第２貸出者が競り市場に出した水産収穫物収納函に収納した水産収穫物を、第３貸出者が競り落とした際に、当該水産収穫物収納函の前記収納函ＩＤを読み出して、管理装置に送信し、前記中間撮像装置は、前記競り落とされた前記水産収穫物収納函の水産収穫物の上に載置された転得者識別札を撮像し、撮像画像を管理装置に送信し、前記第２中間読取装置は、第３貸出者または第３貸出者から直接・間接に第４貸出者が貸与を受けた際に、当該水産収穫物収納函の前記収納函ＩＤを読み出し、第４貸出者と対応付けて、管理装置に送信し、
前記管理装置は、前記貸出読取装置からの収納函ＩＤを受信し、当該水産収穫物収納函が第１貸出者に貸出中であることを記録部に記録する貸出処理手段と、前記中間読取装置からの収納函ＩＤを受信し、前記中間撮像装置から転得者識別札の撮像画像を受信し、当該画像に基づいて転得者を特定し、当該転得者を第３貸出者として前記収納函ＩＤと関連づけ、前記水産収穫物収納函の貸出先を第１貸出者から第３貸出者に変更するよう記録部に記録するとともに、第３貸出者のデポジットを記録する貸出先変更処理手段と、前記第２中間読取装置からの収納函ＩＤを受信し、当該水産収穫物収納函の貸出先を第３貸出者から第４貸出者に変更するよう記録部に記録するとともに、第３貸出者のデポジットを削除し、第４貸出者のデポジットを記録する第２貸出先変更処理手段とを備えたことを特徴としている。
【００２６】
したがって、現在収納函を持つものがデポジットを行うことになるので、返却に協力的となる。
【００２７】
(16)この発明に係る貸出システムは、中間読取装置が、競り対象である水産収穫物収納函を裁置したパレット、競り市場の出入口、水産収穫物収納函を運ぶ車両、可搬性コンピュータの少なくともいずれかに設けられていることを特徴としている。
【００２８】
したがって、特別な処理をしなくとも、容易に魚函ＩＤ、転得者ＩＤを取得することができる。
【００２９】
(17)この発明に係る貸出システムは、中間撮像装置が、競り市場の出入口、水産収穫物収納函を運ぶ車両、可搬性コンピュータの少なくともいずれかに設けられていることを特徴としている。
【００３０】
したがって、容易に第３貸出者を特定することができる。
【００３１】
(18)(19)この発明に係る貸出システムは、管理装置および当該管理装置と通信可能な貸出読取装置、中間読取装置、中間撮像装置、返却読取装置を備えた収穫物収納函の貸出システムであって、
前記貸出読取装置は、無線通信によって読取可能な収納函ＩＤを記録した無線ＩＤ回路を埋め込み、または取り付けた収穫物収納函を、所有者から第１貸出者に貸し出す際に、当該収穫物収納函の前記収納函ＩＤを読み出して、管理装置に送信し、前記中間読取装置は、第１貸出者または第１貸出者から直接・間接に貸与を受けた第２貸出者が競り市場に出した収穫物収納函に収納した収穫物を、第３貸出者が競り落とした際に、当該収穫物収納函の前記収納函ＩＤを読み出して、管理装置に送信し、前記中間撮像装置は、前記競り落とされた前記収穫物収納函の収穫物の上に裁置された転得者識別札を撮像し、撮像画像を管理装置に送信し、
前記返却読取装置は、第３貸出者または第３貸出者から直接・間接に貸与を受けた第４貸出者が、前記所有者に前記収穫物収納函を返却する際に、当該収穫物収納函の前記収納函ＩＤを読み出し、管理装置に送信し、
前記管理装置は、前記貸出読取装置からの収納函ＩＤを受信し、当該収穫物収納函が第１貸出者に貸出中であることを記録部に記録する貸出処理手段と、前記中間読取装置からの収納函ＩＤを受信し、前記中間撮像装置から転得者識別札の撮像画像を受信し、当該画像に基づいて転得者を特定し、当該転得者を第３貸出者として前記収納函ＩＤと関連づけ、前記収穫物収納函の貸出先を第１貸出者から第３貸出者に変更するよう記録部に記録するとともに、第３貸出者のデポジットを記録する貸出先変更処理手段と、前記返却読取装置からの収納函ＩＤを受信し、当該収穫物収納函が返却されたことを記録部に記録するとともに、少なくとも第３貸出者のデポジットを削除する返却処理手段とを備えたことを特徴としている。
【００３２】
したがって、第３貸出者が収納函の返却に協力的となって、返却率を向上させることができる。
【００３３】
(20)(21)この発明に係る貸出システムは、管理装置および当該管理装置と通信可能な貸出読取装置、中間読取装置、第２中間読取装置を備えた収穫物収納函の貸出システムであって、
前記貸出読取装置は、無線通信によって読取可能な収納函ＩＤを記録した無線ＩＤ回路を埋め込み、または取り付けた収穫物収納函を、所有者から第１貸出者に貸し出す際に、当該収穫物収納函の前記収納函ＩＤを読み出して、管理装置に送信し、前記中間読取装置は、第１貸出者または第１貸出者から直接・間接に貸与を受けた第２貸出者が競り市場に出した収穫物収納函に収納した収穫物を、第３貸出者が競り落とした際に、当該収穫物収納函の前記収納函ＩＤを読み出して、管理装置に送信し、前記中間撮像装置は、前記競り落とされた前記収穫物収納函の収穫物の上に載置された転得者識別札を撮像し、撮像画像を管理装置に送信し、前記第２中間読取装置は、第３貸出者または第３貸出者から直接・間接に第４貸出者が貸与を受けた際に、当該収穫物収納函の前記収納函ＩＤを読み出し、第４貸出者と対応付けて、管理装置に送信し、
前記管理装置は、前記貸出読取装置からの収納函ＩＤを受信し、当該収穫物収納函が第１貸出者に貸出中であることを記録部に記録する貸出処理手段と、前記中間読取装置からの収納函ＩＤを受信し、前記中間撮像装置から転得者識別札の撮像画像を受信し、当該画像に基づいて転得者を特定し、当該転得者を第３貸出者として前記収納函ＩＤと関連づけ、前記水産収穫物収納函の貸出先を第１貸出者から第３貸出者に変更するよう記録部に記録するとともに、第３貸出者のデポジットを記録する貸出先変更処理手段と、前記第２中間読取装置からの収納函ＩＤを受信し、当該収穫物収納函の貸出先を第３貸出者から第４貸出者に変更するよう記録部に記録するとともに、第３貸出者のデポジットを削除し、第４貸出者のデポジットを記録する第２貸出先変更処理手段とを備えたことを特徴としている。
【００３４】
したがって、現在収納函を持つものがデポジットを行うことになるので、返却に協力的となる。
【００３５】
「貸出処理手段」は、実施形態においては、ステップＳ２またはステップＳ５２がこれに対応する。
【００３６】
「貸出先変更処理手段」は、実施形態においては、ステップＳ９、Ｓ１０またはステップＳ５６、Ｓ５７がこれに対応する。
【００３７】
「返却処理手段」は、実施形態においては、ステップＳ１２、Ｓ１３またはステップＳ５９、Ｓ６０がこれに対応する。
【００３８】
「仲買人」とは、他人のために競り落とす者だけでなく、自分のために競り落とす者も含む概念である。
【００３９】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【００４０】
【図１】この発明の一実施形態による貸出システムの全体構成図である。
【図２】貸出システムのシステム構成図である。
【図３】魚函２の例である。
【図４】管理装置２０のハードウエア構成である。
【図５】管理プログラム４８のフローチャートである。
【図６】管理プログラム４８のフローチャートである。
【図７】貸出データの例である。
【図８】管理データベースの例である。
【図９】競りデータの例である。
【図１０】名札データの例である。
【図１１】管理データベースの例である。
【図１２】返却データの例である。
【図１３】管理データの例である。
【図１４】他の例による貸出システムの全体構成図である。
【図１５】第２の実施形態による貸出システムの全体構成図である。
【図１６】貸出システムのシステム構成図である。
【図１７】管理プログラム４８のフローチャートである。
【図１８】管理プログラム４８のフローチャートである。
【図１９】他の例による貸出システムの全体構成図である。
【発明を実施するための形態】
【００４１】
１．第１の実施形態
1.1システムの全体構成
図１に、この発明の一実施形態による貸出システムの全体構成を示す。このシステムにおいては、ＲＦＩＤチップの埋め込まれた魚函２を用いている。なお、ＲＦＩＤチップを、魚函２に取り付けるようにしてもよい。魚函２を所有する所有者は、第１貸出者（たとえば、漁業協同組合）に対し、魚函を貸与する。この際、貸出読取装置６によって、魚函２のＲＦＩＤチップに記録された魚函ＩＤを読み取る。読み取られた魚函ＩＤは、管理装置２０に送信される。管理装置２０の貸出処理手段２２は、当該魚函ＩＤの魚函が、第１貸出者に貸し出し中である旨を記録部に記録する。
【００４２】
第１貸出者に貸し出された魚函２は、さらに、第２貸出者（たとえば、漁師）に貸し出される。第２貸出者は、漁を行って得た魚などを、この魚函２に収納し競り市場に出す。競り市場において、これを競り落とした第３貸出者（たとえば、仲買人）は、自らが競り落とした魚であることを明らかにするために、名札４を魚函２の魚の上に置く。名札４には、当該仲買人を区別するためのマークや文字が記載されている。ここで、魚を競り落としてその所有権を得た仲買人を、第３貸出者と呼んでいるのは、魚函２に注目しているからである。
【００４３】
この競り落としの際、中間読取装置８によって、魚函２のＲＦＩＤチップに記録された魚函ＩＤを読み取る。読み取られた魚函ＩＤは、管理装置２０に送信される。さらに、中間撮像装置１０によって、魚函２の上に置かれた名札４を撮像する。撮像された画像は、管理装置２０に送信される。管理装置２０の貸出先変更処理手段２４は、受信した名札４の撮像画像に基づいて、仲買人（第３貸出者）を特定し、上記受信した魚函ＩＤにて特定される魚函２の貸出先を、仲買人（第３貸出者）に変更する。
【００４４】
さらに、貸出先変更処理手段２４は、この際、仲買人に対してデポジット（預かり金）を記録する。このデポジットは、魚函２が返却されたら戻されるものである。現実に金員をやりとりしてもよいが、データとして記録しておき、所定期間（たとえば、１月ごと）ごとに精算するようにしてもよい。
【００４５】
仲買人から先の流通経路は種々多様であって、遠方へ持ち運ばれることもあるので、これから先の魚函２の経路を正確に把握することは困難である。したがって、競り落としの段階で、いずれの仲買人（第３貸出者）に魚函２が渡されたかを確認できることのメリットは大きい。
【００４６】
第３貸出者から魚函２入りの魚を受け取った第４貸出者（たとえば、水産加工工場）は、使用済みの魚函２を所有者に返却する。この際、返却読取装置１２によって、魚函２のＲＦＩＤチップに記録された魚函ＩＤを読み取る。読み取られた魚函ＩＤは、管理装置２０に送信される。
【００４７】
管理装置２０の返却処理手段２６は、受信した魚函ＩＤに基づいて、当該魚函が返却された旨を記録する。さらに、返却処理手段２６は、この返却処理の際に、前記仲買人（第３貸出者）のデポジットを削除する（預かり金を返す）。
【００４８】
第３貸出者からデポジットをあずかり、第４貸出者によって魚函２が返却されれば、デポジットを返却するようにしているのは、回収に対する第３貸出者の協力を得て、回収率を高めるためである。この実施形態によるシステムでは、中間読取装置８、中間撮像装置１０によって、いずれの第３貸出者が、いずれの魚函２を持ち運んだかが明確になるので、上記のような処理が可能となっている。
【００４９】
以上のようにして返却された魚函２は、再び、第１貸出者に貸し出される。
【００５０】
図２に、システム構成図を示す。この実施形態では、図３に示すように、プラスチック製の魚函２を用いている。また、この魚函２を成形する際に、パッシブ型のＲＦＩＤチップを埋め込んでいる。なお、成形後にタグ型のＲＦＩＤチップ等を取り付けるようにしてもよい。また、アクティブ型のＲＦＩＤチップを用いるようにしてもよい。
【００５１】
図２に戻って、この実施形態では、貸出読取装置として携帯型のＲＦＩＤリーダ６を用いている。ＲＦＩＤリーダ６によってＲＦＩＤチップ３から読み取られた魚函ＩＤは、インターネットを介して管理装置２０に送信される。
【００５２】
中間読取装置として、競り落とした仲買人（第３貸出者）が魚入りの魚函２を運ぶためのパレット５に設けられたＲＤＩＦリーダ８を用いている。また、中間撮像装置として、競り市場に固定的に設けられたカメラ１０を用いている。このカメラ１０により、仲買人が魚入りの魚函２に置く、自らが競り落としたことを示すための名札４を撮像する。
【００５３】
なお、図２においては、パレット５の上に魚函２が一つだけしか載置されていないが、多くの場合、多数の魚函２が載置されることになる。
【００５４】
返却読取装置として携帯型のＲＦＩＤリーダ６を用いている。この実施形態では、このＲＦＩＤリーダ６は、貸出読取装置と共用して用いている。
【００５５】
図４に、管理装置２０のハードウエア構成を示す。ＣＰＵ３０には、メモリ３２、通信回路３４、ディスプレイ３６、ハードディスク３８、ＤＶＤ−ＲＯＭドライブ４０、キーボード／マウス４２、プリンタ４４が接続されている。通信回路３４は、インターネットに接続するためのものである。携帯型ＲＦＩＤリーダ６、ＲＦＩＤリーダ８、カメラ１０からのデータは、インターネットを介して受信する。
【００５６】
ハードディスク３８には、オペレーティングシステム４６、管理プログラム４８が記録されている。管理プログラム４８は、オペレーティングシステム４６と協働してその機能を発揮するものである。これらプログラムは、ＤＶＤ−ＲＯＭ５０に記録されていたものを、ＤＶＤ−ＲＯＭドライブ４０を介して、ハードディスク３８にインストールしたものである。
【００５７】
1.2貸出管理処理
図５、図６に、管理プログラム４８のフローチャートを示す。管理装置２０のＣＰＵ３０（以下、管理装置２０と省略することがある）は、携帯型ＲＦＩＤリーダ６からの貸出データを受信する（ステップＳ１）。なお、この実施形態では、携帯型ＲＦＩＤリーダ６は、貸出時および返却時の双方で用いている。したがって、携帯型ＲＦＩＤリーダ６で読み取る際に、貸出時であるか返却時であるかを操作者が携帯型ＲＦＩＤリーダ６に設定する。この実施形態において用いている携帯型ＲＦＩＤリーダ６は、キー入力装置とディスプレイを備えており、操作者が入力した内容を、読み取った魚函ＩＤに付して、管理装置２０に送信できるようになっている。
【００５８】
図７に、貸出時に携帯型ＲＦＩＤリーダ６から送信されてくるデータを示す。モードは、貸出時であるか返却時であるかを示すものである。日時は、読み取りを行った日時、すなわち貸出日時である。日時は、ＲＦＩＤリーダ６が内部の時計によって、魚函ＩＤ送信時に自動的に付したものである。貸出先は、魚函２を貸し出した先のＩＤを示すものである。この実施形態では、操作者が携帯型ＲＦＩＤリーダ６を操作して、貸出先のＩＤを入力できるようにしている。貸出先ＩＤは、予め貸出先ごとに定められたものを用いる（たとえば、"101"は羅臼漁業協同組合など）。なお、貸出先が固定されている場合には、このような操作は不要である。魚函ＩＤは、読み取られたＩＤである。
【００５９】
なお、多数の魚函２を貸し出す場合には、図７のようなデータが多数携帯型ＲＦＩＤリーダ６から送信されてくることになる。また、多数の魚函２を貸し出す場合には、携帯型ＲＦＩＤリーダ６で一つずつの魚函２を読み取るのではなく、ゲート型のＲＦＩＤリーダなどで、複数の魚函２の魚函ＩＤをまとめて読み取るようにすることが好ましい。
【００６０】
管理装置２０は、貸出データを受けて、ハードディスク３８の管理データベースにこれを記録する（ステップＳ２）。図８に、管理データベースの例を示す。受信した魚函ＩＤに対応づけて、貸出日、貸出先を記録している。このようにして、一つずつの魚函２について、貸出先の管理を行っている。
【００６１】
次に、管理装置２０は、貸出数に応じてレンタル料の算出を行う（ステップＳ３）。なお、このレンタル料算出は、所定期間ごと（たとえば１月ごと）にまとめて行うようにしてもよい。
【００６２】
漁業協同組合に貸し出された魚函２が、さらに、漁師に貸し出される。漁師は、漁で得た魚をこの魚函２に収納して競り市場に出す。競り落とした仲買人は、魚函２に入った魚を、パレット８に載せてトラックなどに積み込む。なお、この際、当該仲買人が競り落としたものであることが分かるように、仲買人は、魚函２の魚の上に当該仲買人の名札４を置いて目印とする。
【００６３】
管理装置２０は、カメラ１０からの撮像画像を受信する（ステップＳ４）。カメラ１０は、パレット５に載置された魚函５を撮像している。管理装置２０は、撮像画像中に名札４があるかどうかを判断する（ステップＳ５）。この実施形態では、管理装置２０に、予め、各仲買人の使用する名札を画像として登録している。したがって、撮像画像中に、これら登録された名札があるかどうかを画像マッチングによって判断することができる。
【００６４】
図１０に、管理装置２０に記録された名札データを示す。名札画像に対応付けて、仲買人およびそのＩＤが記録されている。名札を認識すると、管理装置２０は、当該名札画像に対応する仲買人ＩＤを取得し、仲買人を特定する（ステップＳ６）。
【００６５】
上記のように名札を認識すると、次に、管理装置２０は、パレット５に設けられたＲＦＩＤリーダ８からのデータを受信する（ステップＳ８）。名札が認識されたということは、仲買人が競り落としたということであるから、この仲買人と魚函２とを対応付けるためである。
【００６６】
図９に、ＲＦＩＤリーダ８から送信されてくる競りデータの例を示す。ＲＦＩＤリーダ８は、競りの際のデータを送信するものであるから、モードは競りとしている。日時は、読み取りを行った日時、すなわち競り日時である。魚函ＩＤは読み取った魚函２のＩＤである。ＲＦＩＤリーダ８の読み取り範囲は、パレット５の上に載置された全ての魚函２の魚函ＩＤを読み取ることができる程度に設定されている。パレット５の上にはない離れた位置の魚函２のＩＤは、読み取らないよう設定されている。
【００６７】
上記ＲＦＩＤリーダ８からの競りデータを受信すると、これら魚函ＩＤについて、上記で特定した仲買人を、貸出者として記録する（ステップＳ９）。図１１に、貸出先として仲買人が登録された状態の管理データベースを示す。これにより、魚函２の貸出先が、仲買人に変更されたことが明らかとなる。
【００６８】
さらに、管理装置２０は、この仲買人からデポジットを徴収すべきであることを、図１１に示すように記録する（ステップＳ１０）。この実施形態では、この段階では実際の金員のやりとりは行われず、仲買人にデポジット分の金員がマイナスとなっている旨を記録する。実際の金員をやりとりする場合であれば、デポジットをあずかった旨を記録することになる。
【００６９】
仲買人は、パレット５とともに魚入魚函２をトラックなどに載置し、販売先である加工工場などに輸送する。加工工場では、魚函２の中の魚を加工のために取り出し、空の魚函２を保管する。保管している空の魚函２が所定個数まとまると、加工工場またはその委託を受けた業者が、所有者のもとへ魚函２の返却を行う。
【００７０】
所有者は、返却された魚函２を受け入れる際に、ＲＦＩＤリーダ６によって、魚函ＩＤを読み取る。この際、操作者は、返却モードであること、および返却者のＩＤを設定する。返却者についても、予めＩＤが設定されているものを用いる。なお、ＩＤが設定されていない返却者の場合、ＰＣなどで管理装置２０にアクセスし、新たな返却者としてメールアドレス、住所、会社名などを入力して、ＩＤの設定を行う。ＩＤは、管理装置２０が連番として設定する。
【００７１】
管理装置２０は、携帯型ＲＦＩＤリーダ６からの返却データを受信する（ステップＳ１１）。図１２に、携帯型ＲＦＩＤリーダ６からの返却データを示す。管理装置２０は、この返却データを受信して、図１３に示すように、管理データベースの対応する魚函ＩＤについて、返却済みとする（ステップＳ１２）。
【００７２】
管理装置２０は、返却のあった魚函２について、仲買人にデポジットを返却すべき旨を記録する。つまり、図１３に示すように、仲買人からデポジットを徴収すべき旨を表す丸印を削除する（ステップＳ１３）。したがって、魚函２が返却されないと、仲買人がデポジット分の金員を実際に支払う必要が生じる。この実施形態では、漁業協同組合が、デポジットの徴収を行うものとし、これにより不足した魚函２の購入資金に充てるようにしている。
【００７３】
続いて、管理装置２０は、返却された魚函２の返却者・仲買人に対して支払う手数料を各魚函２ごとに記録する。さらに、これを各返却者・仲買人ごとに集計する（ステップＳ１４）。この実施形態では、各魚函２について仲買人を特定しているので、仲買人に対しても手数料を支払うようにすることができる。仲買人に対して手数料を支払うようにすることで、仲買人が返却に積極的となることが期待できる。たとえば、仲買人が加工工場に出荷する際に、魚函２の返却によって返却者に手数料が支払われることを、積極的に説明して返却率を上げる効果が期待できる。
【００７４】
一方、返却率の好ましくない仲買人を特定することができるので、仲買人を通じての返却率の向上を図ることができる。
【００７５】
また、管理装置２０は、返却者ＩＤ、仲買人ＩＤに基づいて、登録されている返却者、仲買人のメールアドレスを得ることができるので、算出した手数料の情報を送信するようにしてもよい。あるいは、管理装置２０により、登録されている口座情報に基づいて、手数料の振り込み処理を行うようにしてもよい。また、プリンタ４４などから一覧表として出力し、担当者が振り込みを行うようにしてもよい。このような手数料の計算は、所定期間ごと（たとえば、１月ごと）にまとめて行うようにしてもよい。
【００７６】
返却された魚函２は、改めて貸出を行うことができる。その際も、上記と同じように、管理データベースによる管理を行うことができる。この実施形態では、各魚函２について魚函ＩＤによって管理を行っているので、当該魚函２がどれぐらいの期間、どれぐらいの回数使用されたかを知ることができる。したがって、魚函２を再生して、新たな魚函２を生成することが必要な時期を、推定することができる。
【００７７】
1.3その他
(1)上記実施形態では、カメラ１０による画像において名札４を認識した時に、ＲＦＩＤリーダ８からの魚函ＩＤを取得し、仲買人と魚函ＩＤを対応付けるようにしている。しかし、ＲＦＩＤリーダ８からの魚函ＩＤを先に取得しておき、画像によって名札４を認識した時に、仲買人と魚函ＩＤを対応付けるようにしてもよい。
【００７８】
(2)上記実施形態では、携帯型ＲＦＩＤリーダ６によって貸出時、返却時の読み取りを行っている。しかし、据え置き型のＲＦＩＤリーダによって読み取りを行うようにしてもよい。
【００７９】
(3)上記実施形態では、ＩＤを記録したＲＦＩＤチップによって魚函２を特定するようにしている。ＲＦＩＤ以外のＩＤを記録した無線チップを用いるようにしてもよい。
【００８０】
また、魚函２に識別マーク（バーコードなど）を印刷しておき（あるいは印刷したものを付けておき）、これを光学式リーダによって読取り、魚函２の魚函ＩＤを認識するようにしてもよい。さらに、その他、磁気方式などでＩＤを記録し、これに対応するリーダを用いるようにしてもよい。
【００８１】
(4)上記実施形態では、魚を収納する函について説明したが、いか、貝など水産収穫物を収納する函について適用することができる。また、水産収穫物以外の、農産収穫物、鉱業収穫物などの収穫物を収納する函全般に適用することができる。
【００８２】
(5)上記実施形態では、カメラ１０は固定的に設置していたが、携帯型のカメラ付きタブレットコンピュータ（ＲＦＩＤリーダとしての機能を有する）を用いるようにしてもよい。この場合、競り落とされた際に、タブレットにて名札を撮像すると同時に、魚函ＩＤを読取り、両者を紐付けて管理装置２０に送信する。このようにすれば、パレット５にＲＦＩＤリーダ８を設けなくともよい。
【００８３】
(6)上記実施形態では、カメラ１０からの名札画像に基づいて、仲買人を特定する処理を管理装置２０の側において行っている。しかし、カメラ１０にＰＣを接続しておき（たとえば、タブレットコンピュータ）、当該ＰＣの側で名札画像に基づく仲買人の特定を行い、管理装置２０に対しては、特定した仲買人ＩＤを送信するようにしてもよい。
【００８４】
(7)上記実施形態では、パレット５にＲＦＩＤリーダ８を設けている。しかし、競り落とした後に搬送を行うためのトラックやフォークリフトにＲＦＩＤリーダ８を設けるようにしてもよい。これに応じて、カメラ１０も、トラックやフォークリフトに設けるとよい。
【００８５】
あるいは、仲買人が競り市場に入る際に、可搬性のＲＦＩＤリーダ６をポケットの中などに入れてもらうようにし、名札画像を認識した際に、これと対応付けて魚函ＩＤを読み取るようにしてもよい。さらに、仲買人に渡す可搬性ＲＦＩＤリーダを、当該仲買人と紐付けておけば（読み取った魚函ＩＤを仲買人ＩＤと共に送信する）、カメラ１０を設けなくとも、仲買人と魚函ＩＤを紐付けることができる。この際、仲買人は競り落としていない魚函２にも近づくので、競りの開始から終わりまでの各仲買人による魚函ＩＤの取得データを蓄積し、各魚函ＩＤごとに、最も検出回数（時間）の多かった仲買人ＩＤを、競り落とした仲買人であると特定すればよい。
【００８６】
(8)上記実施形態では、パレット５にＲＦＩＤリーダ８を設け、競り市場の競りを行う場所を狙ってカメラ１０を設けている。しかし、競り市場の出入り口などにＲＦＩＤリーダおよびカメラ１０を設けるようにしてもよい。特に、複数台のトラックなどが同時に通行できない通路（１台のトラックのみが通行できる通路）に、これらを設けることが好ましい。
【００８７】
さらに、上記では、パレット５にＲＦＩＤリーダ８を設けている。しかし、仲買人が各人専用のパレットを持っている場合、次のようにすれば、カメラ１０を設けなくとも、仲買人と魚函ＩＤを紐付けることができる。パレット５にパレットＩＤを記録したＲＦＩＤチップを埋め込んでおく（取り付けておく）。上記の通路に設置したＲＦＩＤリーダ８によって、魚函ＩＤとパレットＩＤを読取る。パレットＩＤによって、仲買人が特定できるので、仲買人と魚函ＩＤとを紐付けることができる。なお、カメラ１０による紐付けと組み合わせて、その確実性をあげるようにしてもよい。
【００８８】
(9)上記実施形態では、パレット５にＲＦＩＤリーダ８を設けている。しかし、携帯型ＲＦＩＤリーダによって、操作者が仲買人ＩＤを設定した上で、魚函ＩＤを読み取るようにしてもよい。あるいは、各仲買人専用のＲＦＩＤリーダ６を用意するようにしてもよい。
【００８９】
(10)上記実施携帯では、一つの魚函２に一つのＲＦＩＤチップ３を埋め込むようにしている。しかし、一つの魚函２に複数のＲＦＩＤチップ３を埋め込むようにしてもよい。この場合、予め、各魚函２と複数のＲＦＩＤチップ３との対応づけを行って、対応テーブルを管理装置２０に記録しておくことが好ましい。
【００９０】
複数のＲＦＩＤチップ３が埋め込まれていることで、いずれかのＲＦＩＤチップ３を読み取ることができればよいので、リーダによる読取り誤りを防止することができる。
【００９１】
(11)上記では、第１貸出者から貸出を受けた第２貸出者が競りに出している。しかし、第１貸出者が直接競りに出すようにしてもよい。また、仲買人は、加工工場に魚などを販売しているが、自らの工場で使用するようにしてもよい。
【００９２】
(12)上記実施形態では、魚函２の返却があった際に、仲買人のデポジットを返却（デポジットをすべき旨を削除）するようにしている。しかし、仲買人が魚函２に入れた魚を、第４貸出者に販売した際に、仲買人のデポジットを返却（デポジットをすべき旨を削除）するようにしてもよい。
【００９３】
このようなシステムを、図１４に示す。第２中間読取り装置１１は、たとえば携帯型ＲＦＩＤリーダであり、第４貸出者（水産加工場など）と紐付けられている。したがって、この携帯型ＲＦＩＤリーダで読み取った魚函ＩＤは、第４貸出者のＩＤとともに送信される。
【００９４】
管理装置２０の第２貸出先変更処理手段２９は、管理データベースにおいて、第３貸出者がデポジットすべき旨を削除し、第４貸出者がデポジットすべき旨を記録する。
【００９５】
このようにして、次々と、デポジットをすべき主体を魚函２を現実に持っているものに変えていくことで、結果的に返却率を上げることができる。
【００９６】
(13)上記実施形態では、第３貸出者（仲買人）からデポジットをあずかるようにしている。しかし、他の貸出者からもデポジットをあずかるようにしてもよい。
【００９７】
(14)上記実施形態の内容および変形例は、その本質に反しない限り、第２の実施形態にも適用可能である。
【００９８】
２．第２の実施形態
2.1システムの全体構成
図１５に、他の実施形態による貸出システムの全体構成を示す。第１の実施形態と異なる点は、中間撮像装置１０が必須ではないという点である。
【００９９】
魚函２にＲＦＩＤチップが設けられている点は、第１の実施形態と同様である。貸出時に、貸出読取装置６によって読み取られた魚函ＩＤは、管理装置２０に送信される。管理装置２０の貸出処理手段２２は、当該魚函ＩＤの魚函が、第１貸出者に貸し出し中である旨を記録部に記録する。
【０１００】
この実施形態では、競り落とした際に用いる名札４に、仲介人ＩＤを記録したＲＦＩＤチップが埋め込まれている。したがって、中間読取装置８は、仲介人ＩＤと魚函ＩＤを管理装置２０に送信し、管理装置２０は容易に両者を対応付けることができる。管理装置２０の貸出先変更処理手段２４は、魚函ＩＤによって特定される魚函２の貸出先を、仲買人に変更する。さらに、仲買人がデポジットをすべき旨を記録する。
【０１０１】
返却時に、返却読取装置１２によって読み取られた魚函ＩＤは、管理装置２０に送信される。管理装置２０の返却処理手段２６は、受信した魚函ＩＤに基づいて、当該魚函が返却された旨を記録する。この際、仲買人がデポジットすべき旨を削除する。さらに、返却処理手段２６は、この返却処理の際に、少なくとも競り落とした第３貸出者または返却を行った第４貸出者に対し、返却に対するインセンティブを付与する処理を行う。
【０１０２】
図１６に、システム構成図を示す。カメラ１０が設けられていない点を除いて、図２と同様である。また、管理装置２０のハードウエア構成は、図４に示すものと同様である。
【０１０３】
2.2貸出管理処理
図１７、図１８に、管理プログラム４８のフローチャートを示す。貸出時の処理であるステップＳ５１〜Ｓ５３は、図５のステップＳ１〜Ｓ３と同様である。
【０１０４】
この実施形態では、競り落とした仲買人を識別するための名札４に、仲買人ＩＤを記録したＲＦＩＤチップを埋め込んでいる。使い捨ての紙の名札４であれば、製造時にＲＦＩＤチップを漉き込むことでこれを実現できる。また、繰り返し使用できるプラスチック製のＲＦＩＤカードを名札４として用いるようにしてもよい。
【０１０５】
競りの際、パレット５に設けられたＲＦＩＤリーダ８は、読み取った魚函ＩＤを競りデータとして、管理装置２０に送信する。競りによって仲買人が競り落とすと名札４が置かれるので、上記競りデータ中に、仲買人ＩＤが含まれることになる。したがって、管理装置２０は、仲買人ＩＤが含まれているかどうかを判断して、競り落とされたかどうかを判断することができる（ステップＳ５５）。
【０１０６】
仲買人ＩＤが含まれていると判断すると、管理装置２０は、当該整理データに含まれる魚函ＩＤの魚函２について、当該仲買人ＩＤの仲買人に貸し出し中である旨を管理データベースに記録する（ステップＳ５６）。さらに、仲買人がデポジットをすべき旨を記録する（ステップＳ５７）。
【０１０７】
返却処理であるステップＳ５８〜Ｓ６１は、図６のステップＳ１１〜Ｓ１４と同様である。
【０１０８】
2.3その他
(1)上記実施形態では、携帯型ＲＦＩＤリーダ６によって貸出時、返却時の読み取りを行っている。しかし、据え置き型のＲＦＩＤリーダによって読み取りを行うようにしてもよい。
【０１０９】
(2)上記実施形態では、ＩＤを記録したＲＦＩＤチップによって魚函２、名札４を特定するようにしている。ＲＦＩＤ以外のＩＤを記録した無線チップを用いるようにしてもよい。
【０１１０】
また、魚函２、名札４に識別マーク（バーコードなど）を印刷しておき（あるいは印刷したものを付けておき）、これを光学式リーダによって読取り、魚函２の魚函ＩＤを認識するようにしてもよい。さらに、その他、磁気方式などでＩＤを記録し、これに対応するリーダを用いるようにしてもよい。
【０１１１】
(3)上記実施形態では、魚を収納する函について説明したが、いか、貝など水産収穫物を収納する函について適用することができる。また、水産収穫物以外の、農産収穫物、鉱業収穫物などの収穫物を収納する函全般に適用することができる。
【０１１２】
(4)上記実施形態では、パレット５にＲＦＩＤリーダ８を設けている。しかし、競り落とした後に搬送を行うためのトラックやフォークリフトにＲＦＩＤリーダ８を設けるようにしてもよい。また、競り市場の出入り口などに設けるようにしてもよい。
【０１１３】
あるいは、仲買人が競り市場に入る際に、可搬性のＲＦＩＤリーダ６をポケットの中などに入れてもらうようにしてもよい。この場合には、仲買人が名札４を電波遮蔽ケースの中に入れて、持っている間にはＩＤが読み取られないようにしておくことが好ましい。競り落とした際には、この電亜遮蔽ケースから名札４を取り出して、魚の上に置くようにする。
【０１１４】
(5)上記実施形態では、パレット５にＲＦＩＤリーダ８を設けている。しかし、携帯型ＲＦＩＤリーダによって、魚函ＩＤ、仲買人ＩＤを読み取るようにしてもよい。
【０１１５】
(6)上記実施形態では、一つの魚函２に一つのＲＦＩＤチップ３を埋め込むようにしている。しかし、一つの魚函２に複数のＲＦＩＤチップ３を埋め込むようにしてもよい。この場合、予め、各魚函２と複数のＲＦＩＤチップ３との対応づけを行って、対応テーブルを管理装置２０に記録しておくことが好ましい。
【０１１６】
複数のＲＦＩＤチップ３が埋め込まれていることで、いずれかのＲＦＩＤチップ３を読み取ることができればよいので、リーダによる読取り誤りを防止することができる。
【０１１７】
同様にして、名札４にも複数のＲＦＩＤチップを埋め込むようにしてもよい。
【０１１８】
(7)上記実施形態では、名札４に埋め込まれたＲＦＩＤチップの仲買人ＩＤを取得し、仲買人を特定している。これに加えて、第１の実施形態のように、名札４を撮像した画像も参照して仲買人を特定するようにすれば、精度を上げることができる。
【０１１９】
(8)上記実施形態では、魚函２の返却があった際に、仲買人のデポジットを返却（デポジットをすべき旨を削除）するようにしている。しかし、仲買人が魚函２に入れた魚を、第４貸出者に販売した際に、仲買人のデポジットを返却（デポジットをすべき旨を削除）するようにしてもよい。
【０１２０】
このようなシステムを、図１９に示す。第２中間読取り装置１１は、たとえば携帯型ＲＦＩＤリーダであり、第４貸出者（水産加工場など）と紐付けられている。したがって、この携帯型ＲＦＩＤリーダで読み取った魚函ＩＤは、第４貸出者のＩＤとともに送信される。
【０１２１】
管理装置２０の第２貸出先変更処理手段２９は、管理データベースにおいて、第３貸出者がデポジットすべき旨を削除し、第４貸出者がデポジットすべき旨を記録する。
【０１２２】
このようにして、次々と、デポジットをすべき主体を魚函２を現実に持っているものに変えていくことで、結果的に返却率を上げることができる。
【０１２３】
(9)上記実施形態の内容および変形例は、その本質に反しない限り、第１の実施形態にも適用可能である。
【図１】
2017182420.tif 000003
【図２】
2017182420.tif 000004
【図３】
2017182420.tif 000005
【図４】
2017182420.tif 000006
【図５】
2017182420.tif 000007
【図６】
2017182420.tif 000008
【図７】
2017182420.tif 000009
【図８】
2017182420.tif 000010
【図９】
2017182420.tif 000011
【図１０】
2017182420.tif 000012
【図１１】
2017182420.tif 000013
【図１２】
2017182420.tif 000014
【図１３】
2017182420.tif 000015
【図１４】
2017182420.tif 000016
【図１５】
2017182420.tif 000017
【図１６】
2017182420.tif 000018
【図１７】
2017182420.tif 000019
【図１８】
2017182420.tif 000020
【図１９】
2017182420.tif 000021